(57)【要約】【課題】多くの労力を要することなく、ロールの軸方向の特定位置に付着している汚れも確実に除去可能なロール清掃用治具を提供すること。【解決手段】ロール清掃用治具１は、棒状の支持部材２と、一方の端部が支持部材２の端部に固定され、二股に分かれた他方の端部間の角度が変更可能な角度可変支持部材３と、角度可変支持部材に固定された、ロールＲの軸方向に沿って伸縮可能な清掃部材４と、を備えている。このような構成によれば、ロールＲの表面に清掃部材４を当接させた後、支持部材２をロールＲ方向（矢印Ｄ４方向）に移動させることにより、ロールＲの軸方向に沿って均一に清掃部材４を押し付けることができるので、ロールＲの軸方向の特定位置に付着している汚れも確実に除去できる。また、清掃部材４の長さをロールＲの軸方向の長さより短くできるので、ロール清掃用治具１を小型化し、清掃作業を容易にすることができる。【選択図】図１
2017100079.tif 000002
【特許請求の範囲】
【請求項１】
棒状の支持部材と、
一方の端部が前記支持部材の端部に固定され、二股に分かれた他方の端部間の角度が変更可能な角度可変支持部材と、
前記角度可変部材に固定された、ロールの軸方向に沿って伸縮可能な清掃部材と、
を備えることを特徴とするロール清掃用治具。
【発明の詳細な説明】
【技術分野】
【０００１】
本発明は、ロール表面に付着した汚れを除去するためのロール清掃用治具に関するものである。
【背景技術】
【０００２】
一般に、鉄鋼業の工場には、ピンチロールやブライドルロール等の複数種類のロールが多数用いられており、品質問題が発生することを抑制するためにロール表面に付着した汚れを除去する清掃作業が定期的に行われている。このような背景から、特許文献１には、ロール表面に清掃部材を押し付けることによってロール表面に付着した汚れを除去する方法が提案されている。
【先行技術文献】
【特許文献】
【０００３】
【特許文献１】特開２０１０−８８９８７号公報
【発明の概要】
【発明が解決しようとする課題】
【０００４】
しかしながら、特許文献１記載の方法では、清掃部材の大きさがロールの軸方向の長さと同程度になっている。このため、第１に、設備のレイアウト上、ロールが狭い空間内に配置されている場合には、清掃部材を用いて清掃作業を行うことが困難になる。また、第２に、ロールの軸方向に沿って均一に清掃用部材を押し付けることが困難であるので、清掃部材の押し付け力が弱い位置に汚れが付着している場合、その汚れを除去できないことがある。
【０００５】
本発明は、上記課題に鑑みてなされたものであって、その目的は、多くの労力を要することなく、ロールの軸方向の特定位置に付着している汚れも確実に除去可能なロール清掃用治具を提供することにある。
【課題を解決するための手段】
【０００６】
本発明に係るロール清掃用治具は、棒状の支持部材と、一方の端部が前記支持部材の端部に固定され、二股に分かれた他方の端部間の角度が変更可能な角度可変支持部材と、前記角度可変部材に固定された、ロールの軸方向に沿って伸縮可能な清掃部材と、を備えることを特徴とする。
【発明の効果】
【０００７】
本発明に係るロール清掃用治具によれば、多くの労力を要することなく、ロールの軸方向の特定位置に付着している汚れも確実に除去できる。
【図面の簡単な説明】
【０００８】
【図１】図１は、本発明の一実施形態であるロール清掃用治具の構成を示す模式図である。
【図２】図２は、図１に示す角度可変支持部材の構成を示す模式図である。
【図３】図３は、図１に示す清掃部材の構成を示す模式図である。
【図４】図４は、本発明の一実施形態であるロール清掃用治具を用いた清掃作業を説明するための模式図である。
【発明を実施するための形態】
【０００９】
以下、図面を参照して、本発明の一実施形態であるロール清掃用治具の構成について説明する。
【００１０】
〔構成〕
初めに、図１〜図３を参照して、本発明の一実施形態であるロール清掃用治具の構成について説明する。図１は、本発明の一実施形態であるロール清掃用治具の構成を示す模式図である。図２は、図１に示す角度可変支持部材の構成を示す模式図である。図３は、図１に示す清掃部材の構成を示す模式図である。
【００１１】
図１に示すように、本発明の一実施形態であるロール清掃用治具１は、支持部材２、角度可変支持部材３、清掃部材４、及び駆動装置５を備えている。
【００１２】
支持部材２は、金属製の棒状部材によって構成されている。支持部材２の一方の端部には角度可変支持部材３が固定され、他方の端部には駆動装置５が接続されている。
【００１３】
角度可変支持部材３の一方の端部は支持部材２に固定されている。角度可変部材３の他方の端部は二股に分かれ、他方の端部間の角度（矢印Ｄ２）は変更可能に構成されている。二股に分かれた両端部は伸縮可能な清掃部材４に固定されている。清掃部材４を清掃するロールに当接させ、支持部材２を清掃部材４の方向（矢印Ｄ１方向）に適宜押すことによって、二股に分かれている他方の端部間の角度（矢印Ｄ２）が変化し、清掃部材４が矢印Ｄ３方向に伸縮するので、清掃可能なロールの幅を変更できる。角度可変部材３は他方の端部間の角度を変更可能であればどのような構成でもよいが、例えば図２（ａ）に示すように支持部材２と角度可変支持部材３の一方の端部とを蝶番３ａにより接続することによって、図２（ｂ）に示すように角度可変支持部材３の他方の端部間の角度を変更する方法が挙げられる。
【００１４】
清掃部材４は、矢印Ｄ３方向に伸縮可能な部材によって構成されている。矢印Ｄ３方向に伸縮可能な部材としては、図３（ａ）〜（ｅ）に示すような構成を例示できる。図３（ａ）に示す構成では、清掃部材４は、矢印Ｄ３方向に伸縮可能な蛇腹折りにされた布部材からなる蛇腹部材４ａによって構成されている。図３（ｂ）に示す構成では、清掃部材４は、蛇腹部材４ａと矢印Ｄ３方向に伸縮可能なゴム４ｂによって構成されている。図３（ｃ）に示す構成では、清掃部材４は、蛇腹部材４ａと矢印Ｄ３方向に伸縮可能なバネ４ｃによって構成されている。図３（ｄ）に示す構成では、清掃部材４は、リング４ｄに挿通された蛇腹部材４ａ及びレール４ｅによって構成され、蛇腹部材４ａはレール４ｅに沿って伸縮する。図３（ｅ）に示す構成では、清掃部材４は、伸縮部材４ｆと、伸縮部材４ｆの両面に配置された筒状布４ｇとによって構成されている。
【００１５】
駆動装置５は、矢印Ｄ４方向に支持部材２を移動する装置である。本実施形態では、駆動装置５によって支持部材２を矢印Ｄ４方向に移動させることとしたが、オペレータが支持部材５を握持して矢印Ｄ４方向に人手で移動させてもよい。
【００１６】
〔清掃作業〕
次に、図４（ａ），（ｂ）を参照して、本発明の一実施形態であるロール清掃用治具を用いた清掃作業について説明する。図４（ａ），（ｂ）は、本発明の一実施形態であるロール清掃用治具を用いた清掃作業を説明するための模式図である。
【００１７】
本発明の一実施形態であるロール清掃用治具１を用いてロール表面に付着した汚れを除去する清掃作業を行う場合には、図４（ａ）に示すように、最初に、ロールＲの表面に清掃部材４を当接させる。そして、図４（ｂ）に示すように、駆動装置５を駆動させることによって支持部材２をロールＲ方向（矢印Ｄ４方向）に移動させる。支持部材２がロールＲ方向に移動すると、角度可変部材３の他方の端部間の角度（矢印Ｄ３）が大きくなり、支持部材２とロールＲとの間の距離が短くなる。結果、清掃部材４がロールＲの軸方向（矢印Ｄ３方向）に伸び、ロールＲの軸方向に沿って均一に清掃部材４を押し付けることができる。そして、ロールＲの回転に伴いロールＲの表面に付着した汚れは清掃部材４によって除去される。
【００１８】
なお、角度可変部材３の他方の端部間の角度（矢印Ｄ３）又は清掃部材４の矢印Ｄ３方向への伸び量を規制するロック機構を設け、このロック機構によって清掃部材４が所定長さ以上伸びないように構成してもよい。ロック機構としては、図２（ｃ）に示すような角度可変部材３の他方の端部間の角度を固定するストッパー３ｂを例示できる。このような構成によれば、清掃部材４が所定長さになった段階で支持部材２の矢印Ｄ４方向への移動量を増やすことによって、ロールＲに対する清掃部材４の押し付け力が大きくなることにより、通常の押し付け力では落ちにくい汚れも除去できる。
【００１９】
以上の説明から明らかなように、本発明の一実施形態であるロール清掃用軸具１は、棒状の支持部材２と、一方の端部が支持部材２の端部に固定され、二股に分かれた他方の端部間の角度が変更可能な角度可変支持部材３と、角度可変支持部材３に固定された、ロールＲの軸方向に沿って伸縮可能な清掃部材４と、を備えている。このような構成によれば、ロールＲの表面に清掃部材４を当接させた後、支持部材２をロールＲ方向（矢印Ｄ４方向）に移動させることにより、ロールＲの軸方向に沿って均一に清掃部材４を押し付けることができるので、ロールＲの軸方向の特定位置に付着している汚れも確実に除去できる。また、清掃部材４の長さをロールＲの軸方向の長さより短くできるので、ロール清掃用治具１を小型化し、清掃作業を容易にすることができる。これにより、多くの労力を要することなく、ロールＲの軸方向の特定位置に付着している汚れも確実に除去できる。
【００２０】
以上、本発明者らによってなされた発明を適用した実施の形態について説明したが、本実施形態による本発明の開示の一部をなす記述及び図面により本発明は限定されることはない。すなわち、本実施形態に基づいて当業者等によりなされる他の実施の形態、実施例、及び運用技術等は全て本発明の範疇に含まれる。
【符号の説明】
【００２１】
１  ロール清掃用治具
２  支持部材
３  角度可変支持部材
３ａ  蝶番
３ｂ  ストッパー
４  清掃部材
５  駆動装置
Ｒ  ロール
【図１】
2017100079.tif 000003
【図２】
2017100079.tif 000004
【図３】
2017100079.tif 000005
【図４】
2017100079.tif 000006